(57)【要約】【課題】着霜部分にのみ集中してヒータからの熱を輻射するので、除霜時間の短縮や、熱効率の向上により、ヒータの低容量化が図れるなど省エネ性を向上すること。【解決手段】エバポレータ１と、ガラス管ヒータ２と、内面を放物面とした反射板３とを順次上方より設置し、前記ガラス管ヒータ２の中心軸を反射板３内面の放物面の焦点に設置したので、ガラス管ヒータ２から照射され反射板３で反射された熱をすべてエバポレータの方向に輻射するので、輻射熱を有効に除霜に使用でき、除霜効率を向上することができる。【選択図】図１
2011174645.tif 000002
【特許請求の範囲】
【請求項１】
エバポレータと、ガラス管ヒータと、反射板とよりなり、前記反射板の断面形状を放物線とし、放物線の焦点に前記ガラス管ヒータの中心を設置し、反射板の反射方向にエバポレータを配設した除霜装置。
【請求項２】
前記反射板の頂部に前記ガラス管直径と略同幅の開口部を設けた請求項１に記載の除霜装置。
【請求項３】
前記反射板に排水管を設置した請求項１に記載の除霜装置。
【請求項４】
前記反射板を傾斜して設置した請求項３に記載の除霜装置。
【請求項５】
前記排水管を傾斜した反射板の最も低い位置の端部に設けた請求項４に記載の除霜装置。
【請求項６】
前記反射板とガラス管ヒータとをエバポレータに取り付けた請求項１から５のいずれかに記載の除霜装置およびこれを備えた冷蔵庫。
【発明の詳細な説明】
【技術分野】
【０００１】
本発明は、間接冷却方式の冷蔵庫等のエバポレータの除霜に関するものである。
【背景技術】
【０００２】
従来、この種の冷蔵庫などの除霜装置は、エバポレータ下部に設置したガラス管に封入した電熱線をあらかじめ設定した時間毎に通電し、その熱により冷却運転中にエバポレータに付着した霜や氷を融解させ除霜するものであった（例えば、特許文献１参照）。
【０００３】
図４は、特許文献１に記載された従来の除霜装置のガラス管ヒータの断面を示すものである。図４に示すように、ガラス管１７、反射層１８、棒状セラミック１９、ヒータワイヤ２０、キャップ２１から構成されている。
【先行技術文献】
【特許文献】
【０００４】
【特許文献１】特開昭５９−１２８７９０号公報
【発明の概要】
【発明が解決しようとする課題】
【０００５】
しかしながら、前記従来の構成では、反射層がガラス管上に形成されているため反射層の断面形状が円形となり、熱の輻射方向が拡散し除霜が不要な部分に輻射されてしまい、また反射方向が熱源であるヒータワイヤの方向に限定され、また、反射層の幅もガラス管の直径に制限されてしまい、効率的に霜を溶かすことが難しいという課題を有していた。
【０００６】
本発明は、上記従来の課題を解決するもので、放物面の焦点にヒータを配置することで、輻射方向を一方向に限定でき、効率的に着霜している部分のみを加熱することができる除霜装置を提供することを目的とする。
【課題を解決するための手段】
【０００７】
前記従来の課題を解決するために、本発明の除霜装置は、エバポレータと、ヒータと、反射板とよりなり、前記反射板の断面形状を放物線とし、放物線の焦点に前記ヒータの中心を設置したものである。
【０００８】
これによって、ヒータからの輻射熱はエバポレータの方向のみに収束でき、エバポレータ上の霜を効率よく融解することができる。
【発明の効果】
【０００９】
本発明の除霜装置は、着霜部分にのみ集中してヒータからの熱を輻射するので、除霜時間の短縮や、熱効率の向上により、ヒータの低容量化が図れるなど省エネ性を向上することができる。
【図面の簡単な説明】
【００１０】
【図１】本発明の実施の形態１における除霜装置の横断面図
【図２】本発明の実施の形態１における除霜装置の正面図
【図３】本発明の実施の形態１における除霜装置のヒータと反射板の断面図
【図４】本発明の実施の形態２における除霜装置の横断面図
【図５】本発明の実施の形態２における除霜装置のヒータと反射板の断面図
【図６】従来の除霜装置のヒータの断面図
【発明を実施するための形態】
【００１１】
第１の発明は、エバポレータと、ガラス管ヒータと、反射板とよりなり、前記反射板の断面形状を放物線とし、放物線の焦点に前記ガラス管ヒータの中心を設置し、反射板の反射方向にエバポレータを配設したので、ガラス管ヒータよりの輻射熱は、放物面の反射によりエバポレータの方向にのみ反射され、ガラス管ヒータの輻射熱がすべてエバポレータに集中することができる。
【００１２】
第２の発明は、前記反射板の頂部に前記ガラス管直径と略同幅の開口部を設けたので、反射方向がガラス管ヒータと重なる部分への反射を無くし、ガラス管ヒータの不要な温度上昇をなくすとともに、エバポレータから未融解のまま落下した霜を溶かすことができる。
【００１３】
第３の発明は、前記反射板に排水孔を設置したので、除霜によって生ずる除霜水を集めて庫外に排出が可能になる。
【００１４】
第４の発明は、前記反射板を傾斜して設置したので、除霜によって生ずる除霜水を効率的に排出できる。
【００１５】
第５の発明は、前記排水孔を傾斜した反射板の最も低い位置の端部に設けたので、反射板に落下した除霜水を残すことなく排水することが可能となる。
【００１６】
第６の発明は、前記反射板と、ガラス管ヒータをエバポレータに取り付けたので、エバポレータ、ガラス管ヒータ、反射板の位置が固定でき、どうのように取り付けてもそれぞれの位置のずれによる効率の低下を生じない除霜装置であり、前記除霜装置を、請求項１から５のいずれか一項に記載の除霜装置を備えた冷蔵庫である。
【００１７】
以下、本発明の実施の形態について、図面を参照しながら説明する。なお、この実施の形態によって本発明が限定されるものではない。
【００１８】
（実施の形態１）
図１は、本発明の実施の形態１における除霜装置の横断面図である。図２は、図１の正面図、図３は、ガラス管ヒータと反射板の断面図である。
図１、図２において、エバポレータ１に、ガラス管ヒータ２、反射板３は支持板４により取り付けられ、その中心線は垂直に一致する。このとき、前記ガラス管ヒータ２と反射板３はその軸線を平行に配置され、ともにエバポレータ１に対し傾斜して固定される。
排水管５は、反射板３位置の低い一端に反射板３内に開口して配置される。前記エバポレータ１、ガラス管ヒータ２と反射板３は、冷蔵庫の筐体６の冷蔵室７と区画壁８により区画された冷却室９に設置される。前記区画壁８のエバポレータ１上方には円形の孔８Ａを設け、送風機１０の吹き出し口となる。また、冷蔵室７の空気は、区画壁８に設けた吸い込み口８Ｂより、冷却室９に吸い込まれる。
図３において、ガラス管ヒータ２は外殻であるガラス管１１、ヒータ線１２より構成され、前記ガラス管１１の中心軸に沿ってヒータ線１２は配設される。
前記反射板３断面の内面は、鏡面加工された放物面であり、（数１）により決定される。
【００１９】
【数１】
2011174645.tif 000003
【００２０】
このとき、放物面の焦点Ａの位置に、ヒータ線１２を配設することにより、反射板３により反射されるヒータ線１２から輻射された赤外線は、すべてエバポレータ１方向へ輻射されることになる。
【００２１】
次に上記構成の動作について説明する。
【００２２】
冷却運転により、冷蔵室７内の水分がエバポレータ１に霜となって付着する。所定時間が経過後、冷却運転を停止するとともに、ガラス管ヒータ２が運転され、発熱を始める。
【００２３】
このとき、ガラス管ヒータ２から輻射された熱の一部は、下方に位置する反射板３に反射される。ヒータ線１２は、放物面である反射板２の焦点に位置するので、反射された熱はすべて、単指向性となり、上方のみに反射される。
【００２４】
これにより、ガラス管ヒータ２より輻射された熱の大部分は、エバポレータ１の方向にのみ輻射されるので、効率よくエバポレータ１および底に付着した霜を加熱することになる。
【００２５】
加熱により、エバポレータ１上の霜が融解すると、水滴となり下方に落下する。この水滴は、反射板３上に落下する。このとき、反射板３は傾斜して設置されているので、水滴は反射板３上を流れ、端部に設けた排水管５に流入し、冷蔵庫の筐体外に排出される。
【００２６】
以上のように本実施の形態では、ガラス管ヒータより輻射した熱の大部分が、一方向に収束し、エバポレータを効率的に加熱するので、除霜運転が早く終了し、または低容量ヒータにおいて、反射板のない時と比べ、時間の増大もなく、また、不要な部分を加熱せずにすむため、除霜運転中に問題となる冷蔵庫の庫内温度上昇も抑制できるなど、地球環境保護及び保鮮機能の向上が図れるなどに多大な効果を有する。
【００２７】
（実施の形態２）
図４は、本発明の実施の形態２における除霜装置の横断面図である。図５は、ガラス管ヒータと反射板の断面図である。
【００２８】
図３、図４において、反射板Ａ，Ｂ１３Ａ、１３Ｂはガラス管ヒータ２の中心軸を含む面において対称形であり、内面を同一放物面の一部を形成する。
【００２９】
エバポレータ１に、ガラス管ヒータ２、前記反射板Ａ、Ｂ１３Ａ、１３Ｂは下端部に一定の間隔を有するように、支持板１４により取り付けられ、前記反射板Ａ、Ｂ１３Ａ、１３Ｂの対称面にガラス管ヒータ２の中心軸は含まれる。前記エバポレータ１、ガラス管ヒータ２、反射板Ａ、Ｂ１３Ａ、１３Ｂと上方より順次設置される。
【００３０】
ドレンパン１５は反射板１３Ａ、１３Ｂのさらに下方に一方に傾斜または、一部がくぼんだ形状となり、その最も低い位置に排水管１６が設置される。
【００３１】
前記エバポレータ１、ガラス管ヒータ２と反射板Ａ、Ｂ１３Ａ、１３Ｂとドレンパン１５は、冷蔵庫の筐体６の冷蔵室７と区画壁８により区画された冷却室９に設置される。前記区画壁８のエバポレータ１上方には円形の孔８Ａを設け、送風機１０の吹き出し口となる。また、冷蔵室７の空気は、区画壁８に設けた吸い込み口８Ｂより、冷却室９に吸い込まれる。
【００３２】
図３において、ガラス管ヒータ２は外殻であるガラス管１１、ヒータ線１２より構成され、前記ガラス管１１の中心軸に沿ってヒータ線１２は配設される。
前記反射板Ａ、Ｂ１３Ａ、１３Ｂ断面の内面は、鏡面加工された放物面であり、（数１）により決定される。
【００３３】
【数１】
2011174645.tif 000004
【００３４】
このとき、放物面の焦点Ａの位置に、ヒータ線１２を配設することにより、反射板Ａ、Ｂ１３Ａ、１３Ｂにより反射されるヒータ線１２から輻射された赤外線は、すべてエバポレータ１方向へ輻射されることになる。
【００３５】
次に上記構成の動作について説明する。
【００３６】
冷却運転により、冷蔵室７内の水分がエバポレータ１に霜となって付着する。所定時間が経過後、冷却運転を停止するとともに、ガラス管ヒータ２が運転され、発熱を始める。
【００３７】
このとき、ガラス管ヒータ２から輻射された熱の一部は、下方に位置する２つの反射板Ａ、Ｂ１３Ａ、１３Ｂに反射される。ヒータ線１２は、放物面である反射板Ａ、Ｂ１３Ａ、１３Ｂの焦点に位置するので、反射された熱はすべて、単指向性となり、上方のみに反射される。
【００３８】
これにより、ガラス管ヒータ２より輻射された熱の大部分は、エバポレータ１の方向にのみ輻射されるので、効率よくエバポレータ１および底に付着した霜を加熱することになる。
【００３９】
加熱により、エバポレータ１上の霜が融解すると、水滴となり下方に落下する。この水滴は、反射板Ａ、Ｂ１３Ａ、１３Ｂ上に落下する。このとき、反射板Ａ、Ｂ１３Ａ、１３Ｂは一定の間隔を開けて設置されているので、水滴は反射板１３Ａ、１３Ｂ上を流れ、下端の隙間よりドレンパン１５に落下する。そして排水管１６に流入し、冷蔵庫の筐体外に排出される。
【００４０】
また、融解しないまま落下した霜は、ドレンパン１５上で、ガラス管ヒータ２からの輻射により、直接融解し水となって、排出される。
【００４１】
以上のように本実施の形態では、ガラス管ヒータより輻射した熱の大部分が、一方向に収束し、エバポレータを効率的に加熱するので、除霜運転が早く終了し、または低容量ヒータにおいて、反射板のない時と比べ、時間の増大もなく、また、ドレンパン上の霜も直接融解することが可能となり、また不要な部分を加熱せずにすむため、除霜運転中に問題となる冷蔵庫の庫内温度上昇も抑制できるなど、地球環境保護及び保鮮機能の向上が図れるなどに多大な効果を有する。
【産業上の利用可能性】
【００４２】
以上のように、本発明にかかる除霜装置は、輻射式ヒータの熱をエバポレータ方向に集中して照射することが可能となり、除霜効率の向上によりエネルギーの有効利用が図れることより、除霜装置およびこれを備えた冷蔵庫や局部加熱が必要な加熱装置などにも適用できる。
【符号の説明】
【００４３】
１  エバポレータ
２  ガラス管ヒータ
３  反射板
４  支持板
５  排水管
６  冷蔵庫の筐体
７  冷蔵室
８  区画壁
８Ａ  円形の孔
８Ｂ  吸い込み口
９  冷却室
１０  送風機
１１  ガラス管
１２  ヒータ線
１３Ａ  反射板Ａ
１３Ｂ  反射板Ｂ
１４  支持板
１５  ドレンパン
１６  排水管
【図１】
2011174645.tif 000005
【図２】
2011174645.tif 000006
【図３】
2011174645.tif 000007
【図４】
2011174645.tif 000008
【図５】
2011174645.tif 000009
【図６】
2011174645.tif 000010